(57)【要約】【課題】冗長性を持たせ、符号化処理での圧縮効率を高めることができる画像圧縮方法および画像圧縮装置を提供する。【解決手段】認識対象を含む画像に対し圧縮処理を行なう画像圧縮方法において、認識対象を含む画像を入力し、この入力された画像に対し所定のフィルタ処理を行なうことでフィルタ内の中間値を取得し、この取得した中間値と現在の注目画素値とを比較し、両者の差があらかじめ定められた閾値以上である場合は注目画素に対し何も処理を行なわず、閾値未満の場合は現在の注目画素値を前記取得した中間値で置き換えることで平滑化処理を行ない、この平滑化された画像に対しその出現頻度に応じて可変長符号化を行なう。【選択図】      図１
2006202209.tif 000002
【特許請求の範囲】
【請求項１】
認識対象を含む画像に対し圧縮処理を行なう画像圧縮方法において、
前記認識対象を含む画像を入力する画像入力ステップと、
この画像入力ステップにより入力された画像に対し平滑化処理を行なう平滑化ステップと、
この平滑化ステップにより平滑化された画像に対しその出現頻度に応じて可変長符号化を行なう符号化ステップと、
を具備したことを特徴とする画像圧縮方法。
【請求項２】
認識対象を含む画像に対し圧縮処理を行なう画像圧縮方法において、
前記認識対象を含む画像を入力する画像入力ステップと、
この画像入力ステップにより入力された画像に対し平滑化処理を行なう平滑化ステップと、
この平滑化ステップにより平滑化された画像に対し隣接する画素間の差分値を算出する差分値算出ステップと、
この差分値算出ステップにより算出された差分値に対しその出現頻度に応じて可変長符号化を行なう符号化ステップと、
を具備したことを特徴とする画像圧縮方法。
【請求項３】
前記平滑化ステップが行なう平滑化処理は、前記画像入力ステップにより入力された画像に対し所定のフィルタ処理を行なうことでフィルタ内の中間値を取得し、この取得した中間値と現在の注目画素値とを比較し、両者の差があらかじめ定められた閾値以上である場合は注目画素に対し何も処理を行なわず、閾値未満の場合は現在の注目画素値を前記取得した中間値で置き換えることを特徴とする請求項１または請求項２記載の画像圧縮方法。
【請求項４】
認識対象を含む画像に対し圧縮処理を行なう画像圧縮方法において、
前記認識対象を含む画像を入力する画像入力ステップと、
この画像入力ステップにより入力された画像に対し認識対象の特徴を抽出する特徴抽出ステップと、
前記画像入力ステップにより入力された画像に対し前記特徴抽出ステップにより抽出された認識対象の特徴に応じて固定値を割り当てる階調変換を行なう階調変換ステップと、
この階調変換ステップにより階調変換された画像に対しその出現頻度に応じて可変長符号化を行なう符号化ステップと、
を具備したことを特徴とする画像圧縮方法。
【請求項５】
前記特徴抽出ステップは、前記画像入力ステップにより入力された画像の輝度情報から２つの極大値を抽出し、前記階調変換ステップは、前記画像入力ステップにより入力された画像に対し前記特徴抽出ステップにより抽出された２つの極大値を基準に固定値を割り当てる階調変換を行なうことを特徴とする請求項４記載の画像圧縮方法。
【請求項６】
認識対象として顔画像を含む画像に対し圧縮処理を行なう画像圧縮方法において、
前記顔画像を含む画像を入力する画像入力ステップと、
この画像入力ステップにより入力された画像から顔領域を検出する顔領域検出ステップと、
この顔領域検出ステップにより検出された顔領域の輝度分布から一定値離れた外れ値を算出する外れ値算出ステップと、
前記画像入力ステップにより入力された画像に対し前記外れ値算出ステップにより算出された外れ値を基準に固定値を割り当てる階調変換を行なう階調変換ステップと、
この階調変換ステップにより階調変換された画像に対しその出現頻度に応じて可変長符号化を行なう符号化ステップと、
を具備したことを特徴とする画像圧縮方法。
【請求項７】
認識対象として顔画像を含む画像に対し圧縮処理を行なう画像圧縮方法において、
前記顔画像を含む画像を入力する画像入力ステップと、
この画像入力ステップにより入力された画像から顔領域を検出する顔領域検出ステップと、
この顔領域検出ステップにより検出された顔領域の前記画像入力ステップにより入力された画像全体に占める割合に基づき差分処理する対象を判別する差分対象判別ステップと、
この差分対象判別ステップにより判別された対象の画像に対し複数フレーム間で対応する画像の差分値を算出する差分値算出ステップと、
この差分値算出ステップにより算出された差分値画像に対しその出現頻度に応じて可変長符号化を行なう符号化ステップと、
を具備したことを特徴とする画像圧縮方法。
【請求項８】
認識対象を含む画像に対し圧縮処理を行なう画像圧縮装置において、
前記認識対象を含む画像を入力する画像入力手段と、
この画像入力手段により入力された画像に対し平滑化処理を行なう平滑化手段と、
この平滑化手段により平滑化された画像に対しその出現頻度に応じて可変長符号化を行なう符号化手段と、
を具備したことを特徴とする画像圧縮装置。
【請求項９】
認識対象を含む画像に対し圧縮処理を行なう画像圧縮装置において、
前記認識対象を含む画像を入力する画像入力手段と、
この画像入力手段により入力された画像に対し平滑化処理を行なう平滑化手段と、
この平滑化手段により平滑化された画像に対し隣接する画素間の差分値を算出する差分値算出手段と、
この差分値算出手段により算出された差分値に対しその出現頻度に応じて可変長符号化を行なう符号化手段と、
を具備したことを特徴とする画像圧縮装置。
【請求項１０】
前記平滑化手段が行なう平滑化処理は、前記画像入力手段により入力された画像に対し所定のフィルタ処理を行なうことでフィルタ内の中間値を取得し、この取得した中間値と現在の注目画素値とを比較し、両者の差があらかじめ定められた閾値以上である場合は注目画素に対し何も処理を行わず、閾値未満の場合は現在の注目画素値を前記取得した中間値で置き換えることを特徴とする請求項８または請求項９記載の画像圧縮方法。
【請求項１１】
認識対象を含む画像に対し圧縮処理を行なう画像圧縮装置において、
前記認識対象を含む画像を入力する画像入力手段と、
この画像入力手段により入力された画像に対し認識対象の特徴を抽出する特徴抽出手段と、
前記画像入力手段により入力された画像に対し前記特徴抽出手段により抽出された認識対象の特徴に応じて固定値を割り当てる階調変換を行なう階調変換手段と、
この階調変換手段により階調変換された画像に対しその出現頻度に応じて可変長符号化を行なう符号化手段と、
を具備したことを特徴とする画像圧縮装置。
【請求項１２】
前記特徴抽出手段は、前記画像入力手段により入力された画像の輝度情報から２つの極大値を抽出し、前記階調変換手段は、前記画像入力手段により入力された画像に対し前記特徴抽出手段により抽出された２つの極大値を基準に固定値を割り当てる階調変換を行なうことを特徴とする請求項１１記載の画像圧縮装置。
【請求項１３】
認識対象として顔画像を含む画像に対し圧縮処理を行なう画像圧縮装置において、
前記顔画像を含む画像を入力する画像入力手段と、
この画像入力手段により入力された画像から顔領域を検出する顔領域検出手段と、
この顔領域検出手段により検出された顔領域の輝度分布から一定値離れた外れ値を算出する外れ値算出手段と、
前記画像入力手段により入力された画像に対し前記外れ値算出手段により算出された外れ値を基準に固定値を割り当てる階調変換を行なう階調変換手段と、
この階調変換手段により階調変換された画像に対しその出現頻度に応じて可変長符号化を行なう符号化手段と、
を具備したことを特徴とする画像圧縮装置。
【請求項１４】
認識対象として顔画像を含む画像に対し圧縮処理を行なう画像圧縮装置において、
前記顔画像を含む画像を入力する画像入力手段と、
この画像入力手段により入力された画像から顔領域を検出する顔領域検出手段と、
この顔領域検出手段により検出された顔領域の前記画像入力手段により入力された画像全体に占める割合に基づき差分処理する対象を判別する差分対象判別手段と、
この差分対象判別手段により判別された対象の画像に対し複数フレーム間で対応する画像の差分値を算出する差分値算出手段と、
この差分値算出手段により算出された差分値画像に対しその出現頻度に応じて可変長符号化を行なう符号化手段と、
を具備したことを特徴とする画像圧縮装置。
【発明の詳細な説明】
【技術分野】
【０００１】
本発明は、たとえば、郵便物処理装置や顔照合装置などにおいて認識対象を含む画像に対し圧縮処理を行なう画像圧縮方法および画像圧縮装置に関する。
【背景技術】
【０００２】
たとえば、郵便物処理装置では、処理時間の制約のため、文字認識等に必要な解像度を保持した画像の伝送時間が問題となっている。また、顔照合装置においても、照合した顔画像を分析用にログとして記録しており、客先でのログ画像の抽出時間が問題となっている。これらの問題に対して、画像に対し圧縮処理を施すことで伝送コストを軽減する方法（特許文献１参照）、あるいは、画像を可逆圧縮する方法（特許文献２参照）が知られている。
【０００３】
特許文献１は、可逆方式による静止画データの符号化において隣接するピクセル差分値を算出し、その出現頻度に応じた可変長符号を割り当てることで、圧縮率の良好な可変長符号化が行なえる画像符号化方法である。
【０００４】
特許文献２は、隣接画素の輝度情報の差分値の正または負の２値情報と絶対値を算出し、画素ごとにビットマップ展開して符号化することで、効率よく可逆的な圧縮が行なえる多値情報圧縮方法である。
【特許文献１】特開平９−１１６７６５号公報
【特許文献２】特開２０００−１５６８６１号公報
【発明の開示】
【発明が解決しようとする課題】
【０００５】
ところが、特許文献１、２の技術では、可逆圧縮において圧縮率の良好な符号化を行なうことができるが、可逆圧縮であるため圧縮率には限界がある。また、いわゆるＪＰＥＧなどの一般的な不可逆圧縮では、認識対象の特徴が失われ、認識に影響を与えてしまう。
【０００６】
そこで、本発明は、冗長性を持たせ、符号化処理での圧縮効率を高めることができる画像圧縮方法および画像圧縮装置を提供することを目的とする。
【課題を解決するための手段】
【０００７】
本発明の画像圧縮方法は、認識対象を含む画像に対し圧縮処理を行なう画像圧縮方法において、前記認識対象を含む画像を入力する画像入力ステップと、この画像入力ステップにより入力された画像に対し平滑化処理を行なう平滑化ステップと、この平滑化ステップにより平滑化された画像に対しその出現頻度に応じて可変長符号化を行なう符号化ステップとを具備している。
【０００８】
また、本発明の画像圧縮方法は、認識対象を含む画像に対し圧縮処理を行なう画像圧縮方法において、前記認識対象を含む画像を入力する画像入力ステップと、この画像入力ステップにより入力された画像に対し認識対象の特徴を抽出する特徴抽出ステップと、前記画像入力ステップにより入力された画像に対し前記特徴抽出ステップにより抽出された認識対象の特徴に応じて固定値を割り当てる階調変換を行なう階調変換ステップと、この階調変換ステップにより階調変換された画像に対しその出現頻度に応じて可変長符号化を行なう符号化ステップとを具備している。
【０００９】
また、本発明の画像圧縮方法は、認識対象として顔画像を含む画像に対し圧縮処理を行なう画像圧縮方法において、前記顔画像を含む画像を入力する画像入力ステップと、この画像入力ステップにより入力された画像から顔領域を検出する顔領域検出ステップと、この顔領域検出ステップにより検出された顔領域の前記画像入力ステップにより入力された画像全体に占める割合に基づき差分処理する対象を判別する差分対象判別ステップと、この差分対象判別ステップにより判別された対象の画像に対し複数フレーム間で対応する画像の差分値を算出する差分値算出ステップと、この差分値算出ステップにより算出された差分値画像に対しその出現頻度に応じて可変長符号化を行なう符号化ステップとを具備している。
【００１０】
また、本発明の画像圧縮装置は、認識対象を含む画像に対し圧縮処理を行なう画像圧縮装置において、前記認識対象を含む画像を入力する画像入力手段と、この画像入力手段により入力された画像に対し平滑化処理を行なう平滑化手段と、この平滑化手段により平滑化された画像に対しその出現頻度に応じて可変長符号化を行なう符号化手段とを具備している。
【００１１】
また、本発明の画像圧縮装置は、認識対象を含む画像に対し圧縮処理を行なう画像圧縮装置において、前記認識対象を含む画像を入力する画像入力手段と、この画像入力手段により入力された画像に対し認識対象の特徴を抽出する特徴抽出手段と、前記画像入力手段により入力された画像に対し前記特徴抽出手段により抽出された認識対象の特徴に応じて固定値を割り当てる階調変換を行なう階調変換手段と、この階調変換手段により階調変換された画像に対しその出現頻度に応じて可変長符号化を行なう符号化手段とを具備している。
【００１２】
さらに、本発明の画像圧縮装置は、認識対象として顔画像を含む画像に対し圧縮処理を行なう画像圧縮装置において、前記顔画像を含む画像を入力する画像入力手段と、この画像入力手段により入力された画像から顔領域を検出する顔領域検出手段と、この顔領域検出手段により検出された顔領域の前記画像入力手段により入力された画像全体に占める割合に基づき差分処理する対象を判別する差分対象判別手段と、この差分対象判別手段により判別された対象の画像に対し複数フレーム間で対応する画像の差分値を算出する差分値算出手段と、この差分値算出手段により算出された差分値画像に対しその出現頻度に応じて可変長符号化を行なう符号化手段とを具備している。
【発明の効果】
【００１３】
本発明によれば、重要な画像情報（たとえば、急激な輝度勾配）を保持しつつ、圧縮に適した平滑化処理を行なうことで冗長性を持たせ、符号化処理での圧縮効率を高めることができる画像圧縮方法および画像圧縮装置を提供できる。
【００１４】
また、本発明によれば、認識に影響を与えない階調変換を行なうことで冗長性を持たせ、符号化処理での圧縮効率を高めることができる画像圧縮方法および画像圧縮装置を提供できる。
【００１５】
さらに、本発明によれば、顔画像の特徴を用いて適切な差分値算出処理を行なうことで冗長性を持たせ、符号化処理での圧縮効率を高めることができる画像圧縮方法および画像圧縮装置を提供できる。
【発明を実施するための最良の形態】
【００１６】
以下、本発明の実施の形態について図面を参照して説明する。  
まず、第１の実施の形態について説明する。  
図１は、第１の実施の形態に係る画像圧縮装置の構成を概略的に示すものである。第１の実施の形態に係る画像圧縮装置は、画像入力手段としての画像入力部１０１、平滑化手段としての平滑化処理部１０２、符号化手段としての符号化部１０３、および、データ出力部１０４から構成されている。
【００１７】
画像入力部１０１は、たとえば、テレビジョンカメラやイメージスキャナ等で構成され、認識対象を含む画像を収集し、その収集した画像を平滑化処理部１０２に入力する。具体的には、たとえば、横方向が６４０画素、縦方向が４８０画素のデジタル濃淡画像として収集し入力する。
【００１８】
平滑化処理部１０２は、画像入力部１０１により入力された画像に対し平滑化処理を行ない、その処理結果を符号化部１０３に出力する。具体的には、たとえば、図２に示すように、３ｘ３のメディアンフィルタ処理を行なうもので、当該フィルタ処理の数式を下記数１に示す。  
[数１]  
｜Median(f(x+i,y+i))-f(x,y)｜>=Th    f(x,y)=f(x,y)  
｜Median(f(x+i,y+i))-f(x,y)｜< Th    f(x,y)=Median(f(x+i,y+i))
以下、フィルタ処理の一連の流れについて図３に示すフローチャートを参照して説明する。まず、図２に示すような３ｘ３のメディアンフィルタにより、フィルタ内（３ｘ３）の中間値を取得する（ステップＳ１）。次に、取得した中間値と現在の注目画素値とを比較し（ステップＳ２）、両者の差があらかじめ定められた閾値以上である場合は注目画素に対し何も処理を行なわず、閾値未満の場合は現在の注目画素値をステップＳ１で取得した中間値で置き換える（ステップＳ３）。これらの処理を注目画素が全画素を対象にするまで繰り返し実施することで処理結果を得る。以上のようなフィルタ処理で平滑化処理を実現する。
【００１９】
符号化部１０３は、平滑化処理部１０２から得られる画像に対し可変長符号化処理を行ない、その処理結果をデータ出力部１０４に出力する。具体的には、まず、平滑化処理部１０２から得られる画像に対し得られたデータ値ごとの出現頻度を算出する。データ値ごとの出現頻度がわかれば、出現頻度の高いデータ値ほどビット数の少ない符号を割り当てる方法によって、それぞれのデータ値にハフマン符号を割り当てることが可能であり、ハフマン符号理論に基づいて可変長符号化を行なう。なお、本実施の形態ではハフマン符号化の方法を使用したが、符号化の方法としては必ずしもハフマン符号化の方法を用いる必要はなく、たとえば、ランレングス符号化などでもよい。
【００２０】
データ出力部１０４は、符号化部１０３から得られる符号化された画像を圧縮処理済み画像として出力する。
【００２１】
以上説明したように、第１の実施の形態によれば、重要な画像情報（たとえば、急激な輝度勾配）を保持しつつ、圧縮に適した平滑化処理を行なうことで冗長性を持たせ、符号化処理での圧縮効率を高めることができる。
【００２２】
次に、第２の実施の形態について説明する。  
図４は、第２の実施の形態に係る画像圧縮装置の構成を概略的に示すものである。第２の実施の形態に係る画像圧縮装置は、画像入力手段としての画像入力部２０１、特徴抽出手段としての特徴抽出部２０２、階調変換手段としての階調変換処理部２０３、符号化手段としての符号化部２０４、および、データ出力部２０５から構成されている。
【００２３】
なお、画像入力部２０１、符号化部２０４およびデータ出力部２０５は、前述した第１の実施の形態における画像入力部１０１、符号化部１０３およびデータ出力部１０４と同じであるのでその説明は省略する。
【００２４】
特徴抽出部２０２は、画像入力部２０１により入力された画像に対し認識対象の輝度特徴を抽出し、階調変換処理部２０３に出力する。具体的には、たとえば、認識対象が書状の場合、文字領域と書状領域（背景領域）の２つが特徴として得られる。そのため、図５に示すように輝度ヒストグラムを求め、２つの極大値（Ｍａｘ１、Ｍａｘ２）を抽出する。抽出した極大値付近の輝度値は文字領域、書状領域を表しているため、極大値より階調変換処理部２０３で用いる閾値（Ｔｈ１、Ｔｈ２）を求める。閾値の求め方としては、単純に極大値から一定値離れた値を閾値（Ｔｈ１、Ｔｈ２）としてもよいし、輝度ヒストグラムの累積値が一定になった値を閾値（Ｔｈ１、Ｔｈ２）としてもよい。
【００２５】
階調変換処理部２０３は、特徴抽出部２０２から得られた閾値（Ｔｈ１、Ｔｈ２）を基に固定値を割り当てる階調変換処理を行ない、その処理結果を符号化部２０４に出力する。具体的には、たとえば、認識対象が書状の場合、特徴抽出部２０２から得られた閾値（Ｔｈ１、Ｔｈ２）により下記数２で示される計算を行なうことで変換することができる。この階調変換の説明図を図６に示す。  
[数２]  
ｆ（ｘ，ｙ）＜＝Ｔｈ１    ｆ’（ｘ，ｙ）＝Ｔｈ１
ｆ（ｘ，ｙ）＞＝Ｔｈ２    ｆ’（ｘ，ｙ）＝Ｔｈ２
以上説明したように、第２の実施の形態によれば、認識に影響を与えない階調変換を行なうことで冗長性を持たせ、符号化処理での圧縮効率を高めることができる。
【００２６】
次に、第３の実施の形態について説明する。  
図７は、第３の実施の形態に係る画像圧縮装置の構成を概略的に示すものである。第３の実施の形態に係る画像圧縮装置は、画像入力手段としての画像入力部３０１、顔領域検出手段としての顔領域検出部３０２、差分対象判別手段としての差分対象判別部３０３、差分値算出手段としての差分値算出処理部３０４、符号化手段としての符号化部３０５、および、データ出力部３０６から構成されている。
【００２７】
なお、符号化部３０５およびデータ出力部３０６は、前述した第１の実施の形態における符号化部１０３およびデータ出力部１０４と同じであるのでその説明は省略する。
【００２８】
本発明の第３の実施例における構成を図７に示す。
【００２９】
図７に従えば、本発明は、画像入力部３０１、顔領域検出部３０２、差分対象領域判別部３０３、差分値算出処理部３０４、符号化部３０５、データ出力部３０６から構成されている。このうち、符号化部３０５、データ出力部３０６は、第１の実施例の符号化部１０３、データ出力部１０４と同じであることから説明を省略する。
【００３０】
画像入力部３０１は、たとえば、テレビジョンカメラ等で構成され、顔照合を行なう人物に対して顔を含む複数フレームの画像を収集し、その収集した画像を顔領域検出部３０２に入力する。具体的には、たとえば、横方向が５１２画素、縦方向が５１２画素のデジタル濃淡画像として収集し入力する。
【００３１】
顔領域検出部３０２は、画像入力部３０１により入力された画像から顔パターン（顔領域）を切り出す。これは、たとえば、文献（福井和広、山口修：「形状抽出とパターン照合の組合せによる顔特徴点抽出」、電子情報通信学会論文誌（Ｄ）、ｖｏｌ．Ｊ８０−Ｄ−Ｈ，Ｎｏ．８、ｐｐ２１７０−２１７７（１９９７））に記載されている方法を用いることで、精度の高い顔領域の検出が実現可能である。  
この場合、あらかじめ用意されたテンプレートを画像中移動させながら相関値を求めることにより、最も高い相関値を持った場所を顔領域とする。その他に、固有空間法や部分空間法を利用した顔抽出法などでもよい。
【００３２】
差分対象判別部３０３は、顔領域検出部３０２により検出された顔領域から差分対象領域を判別し、差分値算出処理部３０４に出力する。具体的には、たとえば、図８に示すフローチャートのように、顔領域検出部３０２により検出された顔領域の画像入力部３０１により入力された画像全体に占める割合を求め（ステップＳ１１）、求めた割合があらかじめ定められた閾値以上の場合は差分対象領域を顔領域とし、顔領域の位置合わせ処理を行ない（ステップＳ１２）、閾値未満の場合は差分対象領域を背景領域とし、特に処理は行なわない。  
なお、顔領域の位置合わせとしては、たとえば、顔領域検出部３０２により取得した顔領域の重心を用いて位置合わせを行なうことで実現が可能である。
【００３３】
差分値算出処理部３０４は、差分対象判別部３０３により判別され処理された画像に対し、下記数３で示すように連続するフレーム間で対応する画素の差分値を算出し、符号化部３０５に出力する。  
[数３]  
ｆｔ（ｘ，ｙ）＝ｆｔ（ｘ，ｙ）−ｆｔ＋１（ｘ，ｙ）
すなわち、図９に示すように、入力画像の特徴に応じて差分対象領域を顔領域と背景領域とに切換えることで、データに依存せず効率よく差分値算出処理が行なえる。なお、図９（ａ）は差分対象領域が背景領域の場合で、背景画像（斜線部分）の差分をとる。図９（ｂ）は差分対象領域が顔領域の場合で、顔画像（斜線部分）の差分をとる。
【００３４】
以上説明したように、第３の実施の形態によれば、顔画像の特徴を用いて適切な差分値算出処理を行なうことで冗長性を持たせ、符号化処理での圧縮効率を高めることができる。
【００３５】
次に、第４の実施の形態について説明する。  
図１０は、第４の実施の形態に係る画像圧縮装置の構成を概略的に示すものである。第４の実施の形態に係る画像圧縮装置は、前述した第１の実施の形態の変形例であり、画像入力手段としての画像入力部４０１、平滑化手段および差分値算出手段としての平滑化差分処理部４０２、符号化手段としての符号化部４０３、および、データ出力部４０４から構成されている。
【００３６】
なお、画像入力部４０１、符号化部４０３およびデータ出力部４０４は、前述した第１の実施の形態における画像入力部１０１、符号化部１０３およびデータ出力部１０４と同じであるのでその説明は省略する。
【００３７】
平滑化差分処理部４０２は、入力された画像データに対し、まず平滑化処理を行ない、続いて隣接するピクセル間の差分値算出処理を行ない、その処理結果を符号化部４０３に出力する。
【００３８】
以下、平滑化差分処理部４０２の処理について図１１に示すフローチャートを参照して説明する。まず、図２に示すような３ｘ３のメディアンフィルタにより、フィルタ内（３ｘ３）の中間値を取得する（ステップＳ２１）。次に、取得した中間値と現在の注目画素値とを比較し（ステップＳ２２）、両者の差があらかじめ定められた閾値以上である場合は注目画素に対し何も処理を行なわず、閾値未満の場合は現在の注目画素値をステップＳ２１で取得した中間値で置き換える（ステップＳ２３）。
【００３９】
次に、隣接するピクセル間の差分値算出処理を行なう（ステップＳ２４）。次に、全画素の探索が終了したか否かをチェックし（ステップＳ２５）、全画素の探索が終了していない場合は注目画素の更新を行ない（ステップＳ２６）、その後、ステップＳ２１に戻り、上記同様な処理を繰り返す。そして、全画素の探索が終了した時点で処理を終了する。
【００４０】
具体的には、平滑化処理は、第１の実施の形態における平滑化処理部１０２と同様の方法で実現可能である。また、隣接するピクセル間の差分値算出処理は、下記数４を用いて算出できる。  
[数４]  
ｆ（ｘ，ｙ）＝ｆ（ｘ，ｙ）−ｆ（ｘ−１，ｙ）
以上説明したように、第４の実施の形態によれば、重要な画像情報（たとえば、急激な輝度勾配）を保持しつつ平滑化を行ない、さらに差分値算出処理で圧縮に適した冗長性を持たせることで、符号化処理での圧縮効率を高めることができる。
【００４１】
次に、第５の実施の形態について説明する。  
図１２は、第５の実施の形態に係る画像圧縮装置の構成を概略的に示すものである。第５の実施の形態に係る画像圧縮装置は、前述した第２の実施の形態の変形例であり、画像入力手段としての画像入力部５０１、顔領域検出手段としての顔領域検出部５０２、外れ値算出手段としての外れ値確認部５０３、階調変換手段としての階調変換処理部５０４、符号化手段としての符号化部５０５、および、データ出力部５０６から構成されている。
【００４２】
なお、画像入力部５０１、階調変換処理部５０４、符号化部５０５およびデータ出力部５０６は、前述した第２の実施の形態における画像入力部２０１、階調変換処理部２０３符号化部２０４よびデータ出力部２０５同じであり、顔領域検出部５０２は、前述した第３の実施の形態における顔領域検出部３０２と同じであるのでその説明は省略する。
【００４３】
外れ値確認部５０３は、顔領域検出部５０２により検出された顔領域の輝度特徴と入力画像の輝度特徴とから外れ値を求め、階調変換処理部５０４に出力する。たとえば、図１３に示すように、顔領域のヒストグラムを求め、この求めた顔領域ヒストグラムから最大値（Ｍａｘ）および最小値（Ｍｉｎ）を求める。求めた最大、最小値（Ｍａｘ、Ｍｉｎ）から一定値離れた値を閾値（Ｔｈ１、Ｔｈ２）とする。
【００４４】
以上説明したように、第５の実施の形態によれば、複雑な輝度特徴を保持する顔画像についても、認識に影響を与えない階調変換を行なうことで冗長性を持たせ、符号化処理での圧縮効率を高めることができる。
【図面の簡単な説明】
【００４５】
【図１】本発明の第１の実施の形態に係る画像圧縮装置の構成を概略的に示すブロック図。
【図２】平滑化処理部の処理内容を示す説明図。
【図３】平滑化処理部の処理手順を示すフローチャート。
【図４】本発明の第２の実施の形態に係る画像圧縮装置の構成を概略的に示すブロック図。
【図５】特徴抽出部の処理内容を表わす説明図。
【図６】階調変換部の処理内容を表わす説明図。
【図７】本発明の第３の実施の形態に係る画像圧縮装置の構成を概略的に示すブロック図。
【図８】差分対象判別部の処理手順を示すフローチャート。
【図９】差分値算出処理部の処理内容を表す説明図。
【図１０】本発明の第４の実施の形態に係る画像圧縮装置の構成を概略的に示すブロック図。
【図１１】平滑化差分処理部の処理手順を示すフローチャート。
【図１２】本発明の第５の実施の形態に係る画像圧縮装置の構成を概略的に示すブロック図。
【図１３】外れ値確認部の処理内容を表わす説明図。
【符号の説明】
【００４６】
１０１，２０１，３０１，４０１，５０１…画像入力部（画像入力手段）、１０２…平滑化処理部（平滑化手段）、１０３，２０４，３０５，４０３，５０５…符号化部（符号化手段）、１０４，２０５，３０６，４０４，５０６…データ出力部、２０２…特徴抽出部（特徴抽出手段）、２０３，４０４…階調変換処理部（階調変換手段）、３０２，４０２…顔領域検出部（顔領域検出手段）、３０３…差分対象判別部（差分対象判別手段）、３０４…差分値算出処理部（差分値算出手段）、４０３…外れ値確認部（外れ値算出手段）、５０２…平滑化差分処理部（平滑化手段、差分値算出手段）。
【図１】
2006202209.tif 000003
【図２】
2006202209.tif 000004
【図３】
2006202209.tif 000005
【図４】
2006202209.tif 000006
【図５】
2006202209.tif 000007
【図６】
2006202209.tif 000008
【図７】
2006202209.tif 000009
【図８】
2006202209.tif 000010
【図９】
2006202209.tif 000011
【図１０】
2006202209.tif 000012
【図１１】
2006202209.tif 000013
【図１２】
2006202209.tif 000014
【図１３】
2006202209.tif 000015